(57)【特許請求の範囲】
【請求項１】
背面部及び前記背面部の下方に連続して形成される底面部を含むボウル面と、
前記底面部に形成された排水口と、
前記排水口を上方から覆う目皿と、
前記ボウル面の上方から洗浄水を吐水する吐水部と、
を有する小便器であって、
前記目皿の上面の後方部には、当該目皿の後方から前方へ上方に向かって傾斜した上方傾斜面を有し、
前記上方傾斜面は、左右方向に延びており、前記目皿の上面における前後方向の中心よりも後方において最も高くなる小便器。
【請求項２】
前記上方傾斜面は、前後方向に延びる稜線を有する、請求項１記載の小便器。
【請求項３】
前記目皿の上面は、前後方向に延びて前記目皿を左右に分ける縦軸線を中心として左右それぞれに下り傾斜した、請求項１又は２記載の小便器。
【請求項４】
前記背面部は、上方から下方へ後方に向かって傾斜させて湾曲面状に形成された、請求項１乃至３のいずれか１項記載の小便器。
【請求項５】
前記ボウル面は、前記排水口の近傍に設けられて排水路に連通した掃除口を備え、
前記目皿は、前記掃除口を上方から覆う、請求項１乃至４のいずれか１項記載の小便器。
【請求項６】
前記小便器は壁掛け式小便器である、請求項２乃至５のいずれか１項記載の小便器。
【発明の詳細な説明】
【技術分野】
【０００１】
本発明は、小便器に係わり、特に目皿を有する小便器に関する。
【背景技術】
【０００２】
従来の小便器には、排水管からの異臭や害虫等の侵入を防止することを目的として、排水口に着脱可能な目皿が設置されている。
【０００３】
また、小便器のボウル面に尿が衝突したときに、尿がボウル面で跳ね返って小便器の外部へ飛散してしまうのを抑制するために、小便器のボウル面の背面部が上方から下方へ後方に向かって傾斜して全体として滑らかに連続した湾曲面状に形成されたものが開示されている（特許文献１参照）。
【先行技術文献】
【特許文献】
【０００４】
【特許文献１】特開２０１４−２１８８００号公報
【発明の概要】
【発明が解決しようとする課題】
【０００５】
しかし、特許文献１のようなボウル面形状の小便器の場合、小便器本体の上方に設けられた吐水部からボウル面へ供給された洗浄水は、ボウル面の下方領域に設置された目皿に流れ込むときに速度が速くなる。また、小便器のボウル面は左右方向についても湾曲面状に傾斜しているため、吐水部からボウル面へ供給された洗浄水が目皿に流れ込むときにボウル面の左右方向中央部に流れが集中する。
【０００６】
これにより、洗浄水が目皿全体に広がらず、目皿表面に付着した尿や菌を十分に洗い流すことができない不洗領域が生じることがあった。
【０００７】
本発明は、上述した課題を解決するためになされたものであり、洗浄水の流れを目皿全体に広げて不洗領域の発生を抑制することを目的とする。
【課題を解決するための手段】
【０００８】
上記目的を達成するために、本発明の一態様に係る小便器によれば、背面部及び背面部の下方に連続して形成される底面部を含むボウル面と、底面部に形成された排水口と、排水口を上方から覆う目皿と、ボウル面の上方から洗浄水を吐水する吐水部と、を有する小便器であって、目皿の上面の後方部には、目皿の後方から前方へ上方に向かって傾斜した上方傾斜面を有し、上方傾斜面は、左右方向に延びており、目皿の上面における前後方向の中心よりも後方において最も高くなる。
【０００９】
このように構成された本発明においては、吐水部から吐水された洗浄水がボウル面の底面部に設置された目皿へ流れ込むとき、洗浄水の速度が速く且つ流れが偏っていたとしても、目皿の上面の後方部に設けられた上方傾斜面に洗浄水が衝突して洗浄水の速度が弱まり、上方傾斜面上で一時的に洗浄水が滞留してから上方傾斜面より前方へ流れ出すため、洗浄水の流れを目皿全体に広げることができる。
【００１０】
また、本発明の一態様に係る小便器は、上方傾斜面は、前後方向に延びる稜線を有してもよい。
【００１１】
このように構成された本発明においては、流れが偏った状態でボウル面の背面部から目皿へ流れ込んだ洗浄水を、上方傾斜面において左右に広がる流れにすることができる。これにより、洗浄水の流れをより目皿全体に広げることができる。また、使用者が排尿を行った時にその尿が上方傾斜面に直接衝突したとしても、前後方向に延びる稜線を有しているため、衝突した尿の跳ね返りをボウル面内の左右後方に分配することができ、小便器の外側への尿跳ねを抑制することができる。
【００１２】
また、本発明の一態様に係る小便器は、目皿の上面は、前後方向に延びて目皿を左右に分ける縦軸線を中心として左右それぞれに下り傾斜してもよい。
【００１３】
このように構成された本発明においては、目皿を流れる洗浄水が上方傾斜面よりも前方へ流れる出すときに中央に偏った流れになっていたとしても、その洗浄水の流れを左右に広げることで、洗浄水の流れを目皿全体に広げることができる。
【００１４】
また、本発明の一態様に係る小便器は、背面部は、上方から下方へ後方に向かって傾斜させて湾曲面状に形成されてもよい。
【００１５】
このように構成された本発明においては、ボウル面が上方から下方へ後方に向かって傾斜させて湾曲面状に形成することで、目皿へ流れ込む洗浄水の速度が速く、且つ中央に流れが集中しやすくなるが、本発明のような目皿を採用することで洗浄水の流れを目皿全体に広げることができる。
【００１６】
また、本発明の一態様に係る小便器は、ボウル面は、排水口の近傍に設けられて排水路に連通した掃除口を備え、目皿は、掃除口を上方から覆ってもよい。
【００１７】
このように構成された本発明においては、排水口に加えて掃除口を上方から覆うことで目皿の形状が大きくなるため目皿の不洗領域が発生しやすくなるが、本発明のような目皿を採用することで洗浄水の流れを目皿全体に広げることができる。
【００１８】
また、本発明の一態様に係る小便器は、壁掛け式小便器であってもよい。
【００１９】
このように構成された本発明においては、壁掛け式小便器の場合、床置き式小便器と比べて目皿に対する小便器の前方側の高さ位置が低くなっているため、尿跳ねが起きやすくなっているが、本発明のような目皿を採用することで尿跳ねを抑制することができる。
【発明の効果】
【００２０】
本発明によれば、洗浄水の流れを目皿全体に広げて不洗領域の発生を抑制することができる。
【図面の簡単な説明】
【００２１】
【図１】本発明の第一実施形態による小便器の側方断面図である。
【図２】本発明の第一実施形態による目皿の斜視図である。
【図３】本発明の第一実施形態による目皿の側視図である。
【図４】図３におけるＩ−Ｉ断面図である。
【図５】図３におけるＩＩ−ＩＩ断面図である。
【図６】図３におけるＩＩＩ−ＩＩＩ断面図である。
【図７】本発明の第一実施形態による小便器の吐水部から底面部までの洗浄水の流れを表した図である。
【図８】本発明の第一実施形態による目皿付近における洗浄水の流れを表した図である。
【図９】本発明の第一実施形態による小便器の上方視図である。
【図１０】本発明の第二実施形態による小便器の側方断面図である。
【図１１】本発明の第二実施形態による小便器の目皿の斜視図である。
【図１２】本発明の第二実施形態による目皿の側視図である。
【図１３】本発明の変形例による目皿の斜視図である。
【発明を実施するための形態】
【００２２】
図面を参照して、本発明の実施形態による小便器を以下に説明する。
【００２３】
＜小便器の構成＞
まず、図１を参照して、本発明の第一実施形態による小便器の全体構成について説明する。図１は、本発明の第一実施形態による小便器の側方断面図である。
【００２４】
図１に示すように、本発明の第一実施形態による小便器１は、背後の壁面に沿って取り付けられる壁掛け式の小便器であり、ボウル面３と、排水口７と、排水トラップ９と、吐水部１１と、を有する。
【００２５】
ボウル面３は、背面部４と、底面部５と、を有する。
【００２６】
ボウル面３における背面部４は、ボウル面３の上端から下方に向かって後方に傾斜する上方部４ａと、上方部４ａの下端から下方に向かって前方に傾斜する下方部４ｂと、上方部４ａ及び下方部４ｂの左右側方に位置する側方部４ｃと、を有する。この背面部４は、上方部４ａ、下方部４ｂ、及び側方部４ｃが連続して形成されており、なだらかな湾曲面状になっている。
【００２７】
ボウル面３における底面部５は、背面部４の下方に連続して形成されている。
【００２８】
排水口７は、ボウル面３の底面部５に形成され、排水口７を通過した洗浄水が排水口７の下流側において封水を形成する排水トラップ９へ流入する。
【００２９】
吐水部１１は、ボウル面３の背面部４の上部に設けられ、水道等の給水源から給水管１３を介して供給された洗浄水をボウル面３に向けて下方へ吐水する。
【００３０】
排水トラップ９よりも下流側には、排水トラップ９から排出された排水を排水配管１９側へ排出させる排水路１８が形成されている。ボウル面３には、この排水路１８を外部に連通させる掃除口１５が形成されている。掃除口１５は、排水路１８等を掃除するための開口部であり、掃除口１５のボウル面３側からブラシ等の掃除用具が挿入可能である。
【００３１】
掃除口１５は、ほぼ円形断面の開口形状を有し、この掃除口１５にほぼ円板状の蓋１６がボウル面３側から着脱可能に取り付けられることにより、掃除口１５が閉塞されるようになっている。
【００３２】
ボウル面３の底面部５には、下側に凹むように形成される凹部５ａが設けられており、この凹部５ａ内には目皿２０が上方から凹部５ａ内に着脱可能に取り付けられるようになっている。この目皿２０が凹部５ａ内に取り付けられた状態では、排水口７と掃除口１５を目皿２０により隠蔽することができるようになっているが、目皿２０の外縁部と凹部５ａの周縁部との間には、ほぼ全周に亘って隙間６が形成されている。この隙間６が、排水口７へ洗浄水（排水）を流入させる流入口として機能する。
【００３３】
＜目皿の構成＞
次に、図２〜６を参照して、本発明の第一実施形態による目皿の構成について説明する。図２は、本発明の第一実施形態による目皿の斜視図である。図３は、本発明の第一実施形態による目皿の側視図である。図４は、図３におけるＩ−Ｉ断面図である。図５は、図３におけるＩＩ−ＩＩ断面図である。図６は、図３におけるＩＩＩ−ＩＩＩ断面図である。
【００３４】
図２、６に示すように、目皿２０は、上面後部に上方傾斜面３０を有し、上面前部に下方傾斜面４０を有している。
【００３５】
上方傾斜面３０は、稜線３１、右面部３２、及び左面部３３を有する。
【００３６】
稜線３１は、上方傾斜面３０の左右方向中央において、前後方向に延びている。目皿２０を凹部５ａに取り付けた状態において、右面部３２は、この稜線３１を中心として右へ下り傾斜し、且つ後端から前方に向けて上方へ傾斜（上り傾斜）しており、左面部３３は、この稜線３１を中心として左へ下り傾斜し、且つ後端から前方に向けて上方へ傾斜（上り傾斜）している。すなわち、上方傾斜面３０は、左右中央から左右外側にかけて下り傾斜する右面部３２及び左面部３３からなる左右対称の山形状の部分であり（図４、図５参照）、稜線３１は、上方傾斜面３０における山形状の尾根部分（稜線部分）であって、上方傾斜面３０の左右中心線に相当する。
【００３７】
稜線３１の前端における頂点３１ａを通り前後水平方向に延びる水平線Ｌ１と、頂点３１ａと稜線３１の後端における後端点３１ｂとを結んだ線Ｌ２とのなす傾斜角θ１は２７度である。なお、本実施形態において傾斜角θ１はこれに限らず、２０〜３５度の範囲内であるのが好ましい。
【００３８】
また、頂点３１ａを通り左右水平方向に延びる水平線Ｌ３と、頂点３１ａと上方傾斜面３０の右前端の右麓点３１ｃとを結んだ線Ｌ４とのなす傾斜角θ２、及び、水平線Ｌ３と、頂点３１ａと上方傾斜面３０の左前端の左麓点３１ｄとを結んだ線Ｌ５とのなす傾斜角θ３は、どちらも２０度である。なお、本実施形態において傾斜角θ２及び傾斜角θ３はこれに限らず、１５〜３０度の範囲内であるのが好ましい。
【００３９】
このように、目皿２０の上面の後部に設けられた上方傾斜面３０は、目皿２０の後方から前方へ上方に向かって傾斜した傾斜面であり、目皿２０の上面の後部の左右方向に延びている。すなわち、目皿２０の上面の後部は、左右方向の全体にわたって、後方から前方にかけて上り傾斜した斜面として形成されている。特に、本実施形態では、上方傾斜面３０は、目皿２０の上面の左右全体にわたって、後方から前方にかけて上り傾斜した斜面でありながら、左右中央部に稜線部を形成する右面部３２及び左面部３３により山形状に形成されている。
【００４０】
下方傾斜面４０は、右面部４１、左面部４２、及び着脱操作部４３を有する。
【００４１】
右面部４１は、目皿２０を凹部５ａに取り付けた状態では、下方傾斜面４０は、下方傾斜面４０を左右に二等分する縦軸線Ｌ６を中心として右へ下り傾斜し、且つ後端から前端に向けて下方へ傾斜（下り傾斜）している。
【００４２】
左面部４２は、目皿２０を凹部５ａに取り付けた状態では、下方傾斜面４０上において、下方傾斜面４０を左右に二等分する縦軸線Ｌ６を中心として左へ下り傾斜し、且つ後端から前端に向けて下方へ傾斜（下り傾斜）している。
【００４３】
着脱操作部４３は、下方傾斜面４０の中央において、前後方向に延びて上方に向けて突出するように形成されており、左側面から右側面に向けて貫通する貫通孔４４が開設されている。このように、貫通孔４４にフック等を引っ掛けられるようにすることで、目皿２０を凹部５ａに対して容易に着脱することができる。
【００４４】
また、目皿２０の下面の前端近くには、下方へ突出するリブ２１が形成されている。目皿２０が凹部５ａに取り付けられた状態では、このリブ２１及び目皿２０における後部下面２２が凹部５ａの表面に当接している。
【００４５】
＜洗浄水の流れ＞
次に、図７、８を参照して、本発明の第一実施形態による小便器の洗浄動作について説明する。図７は、本発明の第一実施形態による小便器の吐水部から底面部までの洗浄水の流れを表した図である。図８は、本発明の第一実施形態による目皿付近における洗浄水の流れを表した図である。
【００４６】
使用者が排尿を終えると、図７に示すように、小便器１は、給水管１３より供給された洗浄水を吐水部１１からボウル面３に向けて、なるべくボウル面３全体を洗浄できるよう左右全体に広がるように吐水する。このように吐水部１１からボウル面３に向けて吐水された洗浄水は、ボウル面３の背面部４を上方から下方に向かって洗浄しながら流下し、背面部４の下方に連続して形成された底面部５へと流れていく。
【００４７】
このとき、ボウル面３の背面部４は、上方から下方に向かって傾斜させて湾曲面状に形成されているため、吐水部１１から背面部４の左右に向けて吐水された洗浄水の一部は、一旦左右に向けて流下した後に次第に左右方向中央へ向けた流れへと変わり、流下するにしたがって中央に集中した流れになる。また、洗浄水がボウル面３の背面部４から底面部５へと流れるまでに洗浄水の流れを阻害するような抵抗がなく、なだらかな湾曲形状となっているため、洗浄水の流れがほぼ減速することなく背面部４の下方の底面部５へと流れていく。
【００４８】
図８に示すように、上方の背面部４から底面部５へと流れてきた洗浄水は底面部５に設けられた目皿２０付近へと到達する（Ａ１）。そして、この洗浄水が目皿２０付近へと到達すると、一部の洗浄水は目皿２０の後方側から目皿２０の上面に流れ込む（Ａ２）。一方、それ以外の洗浄水は目皿２０の上面へ流れ込まずに隙間６へ直接流入する（Ａ３）。
【００４９】
矢印Ａ２で示したような、目皿２０の後方側から目皿２０の上面に流れ込んだ洗浄水は、まず目皿２０の後方に設けられた上方傾斜面３０へと流れ込む。上方傾斜面３０は後端から前方に向かって上方へ傾斜しているため、目皿２０の後方側から目皿２０の上面に流れ込んだ洗浄水は、上方傾斜面３０に衝突して流速が弱まるとともに、上方傾斜面３０上で一時的に滞留する。さらに、上方傾斜面３０の中央には、前後方向に延びる稜線３１が設けられているため、上方傾斜面３０上で一時的に滞留した洗浄水は、上方傾斜面３０を通過する前に流れが中央から左右にやや広がる（Ａ４）。
【００５０】
そして、洗浄水は上方傾斜面３０を通過して下方傾斜面４０へと流れ込む。下方傾斜面４０は、右端に向けて下方へ傾斜した右面部４１と、左端に向けて下方へ傾斜した左面部４２を有しているため、右面部４１及び左面部４２上を流れる洗浄水は、左右方向に広がりながら全体をまんべんなく洗浄するように流下する（Ａ５）。また、洗浄水は下方傾斜面４０の前端にも流れる（Ａ６）。
【００５１】
矢印Ａ５及び矢印Ａ６で示した洗浄水は、下方傾斜面４０上を流下した後に目皿２０と凹部５ａとの隙間６へと流入する。隙間６へ流入した洗浄水は、排水口７から排水トラップ９内に流れ込み、排水路１８を介して排水配管１９から排出される。
【００５２】
＜作用・効果＞
次に、本発明の第一実施形態による小便器の作用効果を説明する。
【００５３】
本発明の第一実施形態においては、小便器１におけるボウル面３の背面部４は上方から下方へ後方にむかって傾斜させて湾曲面状に形成されているため、吐水部１１からボウル面３へ吐水された洗浄水は、底面部５に設置された目皿２０へ流れ込むときに速度が比較的速く、且つ中央に偏った流れとなる。これに対し、目皿２０は上面において、後端から前方に向かって上方へ傾斜した上方傾斜面３０を有する。これにより、目皿２０の後方側から流れ込んだ洗浄水は、上方傾斜面３０に衝突して流速が弱まるとともに、上方傾斜面３０上で一時的に滞留した後に目皿２０上面を流下する。そのため、目皿２０上面に流れ込んできた洗浄水を目皿２０上面全体に広げることができ、目皿２０上面における不洗領域の発生を抑制することができる。
【００５４】
また、目皿２０の上方傾斜面３０は、左右方向中央において前後方向に延びる稜線３１を有する。これにより、目皿２０の上方傾斜面３０に流れ込んだときに流れが中央に偏った洗浄水を、上方傾斜面３０において左右に広がる流れにすることができる。そのため、洗浄水の流れをより目皿２０上面全体に広げることができ、目皿２０上面における不洗領域の発生を抑制することができる。
【００５５】
また、目皿２０の上方傾斜面３０は稜線３１を有し、右面部３２が稜線３１を中心として右へ下り傾斜し、且つ後端から前方に向けて上方へ傾斜しており、左面部３３が稜線３１を中心として左へ下り傾斜し、且つ後端から前方に向けて上方へ傾斜している。そのため、使用者が目皿２０の上方傾斜面３０上に直接衝突するような尿の軌道で排尿を行ったとしても、上方傾斜面３０上に衝突した尿の跳ね返りをボウル面３内の左右後方に分配することで、小便器１の外側への尿跳ねを抑制することができる。
【００５６】
また、目皿２０の下方傾斜面４０は、下方傾斜面４０を左右に二等分する縦軸線Ｌ６を中心として、縦軸線Ｌ６から右端にむけて下方へ傾斜した右面部４１と、左端に向けて下方へ傾斜した左面部４２と、を有する。これにより、上方傾斜面３０から下方傾斜面４０へ流れ込み、中央に偏った流れの洗浄水を、下方傾斜面４０上において左右に広がる流れにすることができ、洗浄水を目皿２０上面全体に広げることができる。
【００５７】
また、ボウル面３には排水路１８と連通した掃除口１５が形成されており、目皿２０が凹部５ａ内に取り付けられた状態では、排水口７と掃除口１５を目皿２０により隠蔽している。そのため、目皿の大きさが比較的大きくなっており、目皿上面における不洗領域がより発生しやすくなっているが、小便器１において目皿２０を採用することで、洗浄水を目皿２０上面全体に広げることができる。すなわち、排水口７の近傍に掃除口１５が設けられ、目皿２０により被覆する部分が比較的大きい構成において、本実施形態の目皿２０を採用することで、効果的に目皿２０の上面における不洗領域を効果的に減少させることができる。
【００５８】
また、小便器１は壁掛け式小便器となっており、目皿２０の位置に対する小便器１前端の高さが床置き式小便器に比べて低くなっているが、小便器１において目皿２０を採用することで、図９に示すように、使用者Ｎが目皿２０の上方傾斜面３０上に直接衝突するような尿の軌道Ｒで排尿を行ったとしても目皿２０に衝突した尿は背面部４内へ跳ね返るため、小便器１の外側への尿跳ねを抑制することができる。
【００５９】
＜第二実施形態＞
次に、図１０〜１２を参照して、本発明の第二実施形態による小便器について説明する。図１０は、本発明の第二実施形態による小便器の側方断面図である。図１１は、本発明の第二実施形態による小便器の目皿の斜視図である。図１２は、本発明の第二実施形態による目皿の側視図である。
【００６０】
図１０〜１２に示す本発明の第二実施形態による小便器１００において、上述した第一実施形態による小便器１と同様な構成については、同様な符号を付し、これらの説明については省略する。
【００６１】
図１０に示すように、小便器１００は、トイレルームの床Ｆに載置された床置き式の小便器であり、ボウル面１０３の底面部１０５に設けられた凹部１０５ａの底面に上下に開口した排水筒１０５ｂが立設されており、凹部１０５ａに着脱可能に取り付けられて凹部１０５ａ及び排水筒１０５ｂを覆う目皿１２０を備えている。
【００６２】
排水筒１０５ｂは、上下に開口した略円筒形状で、凹部１０５ａの中央に立設されている。また、排水筒１０５ｂの上端の開口は、凹部１０５ａの底面よりも上方に位置し、排水筒１０５ｂの下端の開口は、凹部１０５ａの底面よりも下方に位置しており、排水筒１０５ｂが凹部１０５ａの底面を介して凹部１０５ａの内外を連通している。
【００６３】
図１１、１２に示すように、目皿１２０は天板部１２１と筒状部１２２とを備えており、天板部１２１の上面においては上述した第一実施形態による目皿２０と同様に、上方傾斜面１３０及び下方傾斜面１４０を有する。また、天板部１２１の下面の前端近くには、リブ１２１ａが形成され、天板部１２１の下面の後端近くには、リブ１２１ｂが形成されている。
【００６４】
筒状部１２２は、天板部１２１の下面から下方に向けて突設されており、上端が天板部１２１の傾斜に沿うように前方から後方に向けて傾斜し、下端が開口した略円筒状である。また、筒状部１２２は、上方部１２２ａが下方部１２２ｂよりも薄肉状に形成されている。本実施形態では、筒状部１２２の内径が上下方向の全体にわたって略同径である一方で、下方部１２２ｂの外径が上方部１２２ａの外径よりも大きいことで、上方部１２２ａの肉厚が下方部１２２ｂの肉厚よりも薄くなっている。ただし、筒状部１２２の内径の差により、あるいは外径及び内径の両方の差により、上方部１２２ａと下方部１２２ｂの肉厚の差が設けられてもよい。
【００６５】
目皿１２０を凹部１０５ａに取り付けた状態では、リブ１２１ａ及びリブ１２１ｂが凹部１０５ａの段差１０５ｃに当接しており、目皿１２０の外縁部と段差１０５ｃとの間には、ほぼ全周に亘って隙間１０６が形成されている。この隙間１０６が、凹部１０５ａ内に洗浄水を流入させる流入口として機能する。
【００６６】
筒状部１２２の内径は、排水筒１０５ｂの外径よりも大きく、凹部１０５ａの内径よりも小さい。そのため、筒状部１２２は、目皿１２０を凹部１０５ａに取り付けたときに、凹部１０５ａの内周壁面及び底面、排水筒１０５ｂの外周壁面とで形成される凹状の空間に嵌り込む。
【００６７】
筒状部１２２の下端は、排水筒１０５ｂの上端よりも下方に位置し、凹部１０５ａの底面に届かない程度の高さである。そして、排水筒１０５ｂの全周には筒状部１２２との間に略一定の隙間が形成され、排水筒１０５ｂと筒状部１２２は略同軸状の位置関係となる。これにより、筒状部１２２と、凹部１０５ａの内周壁面及び底面と排水筒１０５ｂの外周壁面とで、排水トラップを形成する。
【００６８】
このように構成された小便器１００は、ボウル面１０３の底面部１０５に流れてきた洗浄水が目皿１２０付近へと到達すると、一部の洗浄水は目皿１２０の上面を後方側から前方側へ流れた後に隙間１０６へと流入し、それ以外の洗浄水は目皿１２０の上面を流れずに隙間１０６へ直接流入する。この目皿１２０の天板部１２１の上面は、上述した第一実施形態における目皿２０の上面と同様の構成であるため、目皿１２０の上面を後方側から前方側へ流れる洗浄水は、目皿１２０の上面全体に広がるように流れる。これにより、上述した第一実施形態と同様の作用効果を奏する。
【００６９】
また、筒状部１２２は、上方部１２２ａが下方部１２２ｂよりも薄肉状に形成されているため、上下に一定の厚さで形成される場合に比べて、下部を厚肉にすることにより、トラップの置換率を高めるとともに、上部を薄肉化して体積を削減することにより、コストを削減することができ、ヒケを防止することができる。
【００７０】
＜変形例＞
以上、本願の開示する技術の実施形態について説明したが、本願の開示する技術は、上記に限定されるものではない。
【００７１】
例えば、上記実施形態においては、目皿２０の上方傾斜面３０の左右方向中央において前後方向に延びる稜線３１を有することとしたが、本発明はこれに限らず、図１３に示すように、上方傾斜面３０が稜線３１を有していなくてもよい。この場合、上方傾斜面３０は、稜線部分をなす山形状の部分を形成する右面部３２及び左面部３３を有することなく、目皿の後方から前方へ上方に向かって傾斜した傾斜面として、全体としてなだらかな湾曲面を有する。
【００７２】
前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１      小便器
３      ボウル面
４      背面部
４ａ    上方部
４ｂ    下方部
４ｃ    側方部
５      底面部
５ａ    凹部
６      隙間
７      排水口
９      排水トラップ
１１    吐水部
１３    給水管
１５    掃除口
１６    蓋
１８    排水路
１９    排水配管
２０    目皿
２１    リブ
２２    後方下面
３０    上方傾斜面
３１    稜線
３１ａ  最頂点
３１ｂ  最下点
３１ｃ  右麓点
３１ｄ  左麓点
４０    下方傾斜面
４１    右面部
４２    左面部
４３    着脱操作部
４４    貫通孔
【図１】
0006618031.tif 000002
【図２】
0006618031.tif 000003
【図３】
0006618031.tif 000004
【図４】
0006618031.tif 000005
【図５】
0006618031.tif 000006
【図６】
0006618031.tif 000007
【図７】
0006618031.tif 000008
【図８】
0006618031.tif 000009
【図９】
0006618031.tif 000010
【図１０】
0006618031.tif 000011
【図１１】
0006618031.tif 000012
【図１２】
0006618031.tif 000013
【図１３】
0006618031.tif 000014